(57)【要約】  ベアラ識別子（ＩＤ）を決定する方法及び装置、並びに記憶媒体が提供される。上記のベアラＩＤを決定する方法は、ターゲットアクセス及びモビリティ制御機能（ｔＡＭＦ）がセッション管理機能（ＳＭＦ）にセッション更新要求を送信することと、ベアラＩＤ割り当て情報を運び、ＳＭＦによってフィードバックされるセッション更新応答を受信することと、を含む。上述の技術的解決手段は、５Ｇ内のアイドル状態モビリティ、４Ｇから５Ｇへのアイドル状態モビリティ、及び４Ｇから５Ｇへの接続状態ハンドオーバなどのモビリティイベントが発生した後に、割り当てられたＥＰＳ（ｅｖｏｌｖｅｄ  ｐａｃｋｅｔ  ｓｙｓｔｅｍ）ベアラＩＤ（ＥＢＩ）情報をどのように決定するかという、まだ効果的には解決されていない関連技術における課題を解決することができる。【選択図】図４
2021503857.tif 000002
【特許請求の範囲】
【請求項１】
ベアラ識別子（ＩＤ）を決定する方法であって、
ターゲットアクセス及びモビリティ制御機能（ｔＡＭＦ）により、セッション管理機能（ＳＭＦ）にセッション更新要求又はセッション作成要求を送信することと、
前記ｔＡＭＦにより、前記ＳＭＦから応答されるセッション更新応答又はセッション作成応答を受信することと、を含み、
前記セッション更新応答又は前記セッション作成応答は、ベアラＩＤ割り当て情報を搬送する、方法。
【請求項２】
前記ベアラＩＤ割り当て情報は、ソースアクセス及びモビリティ制御機能（ｓＡＭＦ）又はモバイル管理エンティティ（ＭＭＥ）によって割り当てられたベアラＩＤを前記ｔＡＭＦに通知するために使用される、請求項１に記載の方法。
【請求項３】
前記セッション更新要求又は前記セッション作成要求は、ベアラＩＤ情報を要求するための指示を搬送する、請求項１に記載の方法。
【請求項４】
前記ベアラＩＤ割り当て情報は、ベアラＩＤリストを含むか、又は前記ベアラＩＤリストと、各ベアラＩＤに対応するプライオリティと、パケットデータユニットセッション（ＰＤＵセッション）ＩＤとのうちの少なくとも１つを含む、請求項１に記載の方法。
【請求項５】
前記ｔＡＭＦにより、前記セッション更新要求又は前記セッション作成要求を前記ＳＭＦに送信することは、
ｔＡＭＦにより、ユーザ機器（ＵＥ）から送信された登録要求を受信することと、
前記ｔＡＭＦが前記登録要求を受信した後、前記ｔＡＭＦにより、ソースネットワークの第１のネットワーク要素から前記ＵＥのコンテキストを要求することと、
前記ｔＡＭＦにより、前記ソースネットワークの前記第１のネットワーク要素から送信された前記ＵＥの前記コンテキストを受信し、前記ｔＡＭＦにより、受信された前記コンテキストに応じて前記セッション更新要求又は前記セッション作成要求を前記ＳＭＦに送信することと、を含む、請求項１に記載の方法。
【請求項６】
前記登録要求は、５Ｇネットワークにアクセスし、アイドル状態に入った前記ＵＥによって送信される登録要求、又は、４Ｇネットワークにアクセスし、アイドル状態に入り、その後前記ＵＥが５Ｇネットワークに移動した前記ＵＥによって送信される登録要求を含む、請求項５に記載の方法。
【請求項７】
前記ｔＡＭＦにより、統合データ管理（ＵＤＭ）へのロケーション更新プロセスを開始することをさらに含み、前記ロケーション更新プロセスは、前記ＵＤＭが前記ソースＡＭＦ又は前記ＭＭＥへのキャンセルロケーションプロセスを開始するために使用される、請求項５記載の方法。
【請求項８】
前記ｔＡＭＦにより、前記ＳＭＦに前記セッション更新要求又は前記セッション作成要求を送信する前に、
前記ｔＡＭＦにより、ターゲット基地局から送信されたハンドオーバ準備応答メッセージの受信することをさらに備える、請求項１に記載の方法。
【請求項９】
前記ｔＡＭＦにより、ソースネットワークの第１のネットワーク要素がソース基地局から送信されたハンドオーバ要求を受信した後に、前記ソースネットワークの前記第１のネットワーク要素によって送信されるハンドオーバ準備要求を受信することであって、前記ハンドオーバ準備要求は、ターゲット基地局情報と現在のセッション情報を搬送する、受信することと、
前記ｔＡＭＦにより、前記ハンドオーバ準備要求に従って、パケットデータユニットセッション（ＰＤＵセッション）ハンドオーバ要求を前記ＳＭＦへ送信することと、
前記ｔＡＭＦにより、前記ＳＭＦによって送信され、ハンドオーバされるＰＤＵセッションのＮ２セッション情報を受信することと、
前記ｔＡＭＦにより、ハンドオーバされる前記ＰＤＵセッションの前記セッション情報に従って、前記ハンドオーバ準備要求を前記ターゲット基地局に送信することであって、前記ハンドオーバ準備要求は、リソース予約を要求するために使用される、送信することと、をさらに含み、
前記ハンドオーバ準備応答メッセージは、リソースが正常に予約されたＰＤＵセッションに割り当てられた予約無線リソース情報、Ｎ２応答情報、Ｎ３トンネル情報を搬送し、前記セッション更新要求又は前記セッション作成要求は、ハンドオーバ準備応答情報を搬送する、請求項８記載の方法。
【請求項１０】
前記ｔＡＭＦにより、ソースネットワークの第１のネットワーク要素にハンドオーバ応答を返送することをさらに含み、前記ハンドオーバ応答は、前記ソースネットワークの前記第１のネットワーク要素がハンドオーバコマンドをソース基地局に送信するために使用され、前記ハンドオーバコマンドは、ユーザ機器（ＵＥ）が前記ソース基地局から前記ターゲット基地局にハンドオーバするために使用される、請求項８に記載の方法。
【請求項１１】
前記ｔＡＭＦにより、前記セッション更新要求又は前記セッション作成要求を前記ＳＭＦに送信する前に、前記ｔＡＭＦにより、ターゲット基地局によって送信されたハンドオーバ完了通知を受信することをさらに含む、請求項１に記載の方法。
【請求項１２】
前記ソースネットワークの前記第１のネットワーク要素は、ソースアクセス及びモビリティ制御機能（ｓＡＭＦ）又はモバイル管理エンティティ（ＭＭＥ）を備える、請求項５、８、及び１０のいずれか１項に記載の方法。
【請求項１３】
前記ＳＭＦが、前記ＳＭＦ自体、又は前記ＳＭＦとパケットデータネットワーク（ＰＤＮ）ゲートウェイ制御プレーン（ＰＧＷ−Ｃ）との組み合わせを含む、請求項１〜１１のいずれか１項に記載の方法。
【請求項１４】
ベアラ識別子（ＩＤ）を決定する方法であって、
セッション管理機能（ＳＭＦ）により、ターゲットアクセス及びモビリティ制御機能（ｔＡＭＦ）から送信されたセッション更新要求又はセッション作成要求を受信することと、
前記ＳＭＦにより、セッション更新応答又はセッション作成応答を前記ｔＡＭＦに応答することと、を含み、
前記セッション更新応答又は前記セッション作成応答は、ベアラ識別子（ＩＤ）割り当て情報を搬送する、方法。
【請求項１５】
ターゲットアクセス及びモビリティ制御機能（ｔＡＭＦ）に適用される、ベアラ識別子（ＩＤ）を決定する装置であって、
セッション更新要求又はセッション作成要求をセッション管理機能（ＳＭＦ）に送信するように構成された第１の送信モジュールと、
前記ＳＭＦからのセッション更新応答又はセッション作成応答を受信するように構成された第１の受信モジュールと、を備え、
前記セッション更新応答又は前記セッション作成応答は、ベアラＩＤ割り当て情報を搬送する、装置。
【請求項１６】
前記ベアラＩＤ割り当て情報は、ソースアクセス及びモビリティ制御機能（ｓＡＭＦ）又はモバイル管理エンティティ（ＭＭＥ）によって割り当てられたベアラＩＤを前記ｔＡＭＦに通知するために使用される、請求項１５に記載の装置。
【請求項１７】
前記第１の受信モジュールは、ユーザ機器（ＵＥ）によって送信された登録要求と、ソースネットワークの第１のネットワーク要素によって送信された前記ＵＥのコンテキストとを受信するようにさらに構成され、
前記第１の送信モジュールは、前記ソースネットワークの前記第１のネットワーク要素からの前記ＵＥの前記コンテキストを要求し、前記コンテキストに従って前記セッション更新要求又は前記セッション作成要求を前記ＳＭＦに送信するようにさらに構成される、請求項１５に記載の装置。
【請求項１８】
前記ソースネットワークの前記第１のネットワーク要素は、ソースアクセス及びモビリティ制御機能（ｓＡＭＦ）又はモバイル管理エンティティ（ＭＭＥ）を備える、請求項１７に記載の装置。
【請求項１９】
セッション管理機能（ＳＭＦ）に適用される、ベアラ識別子（ＩＤ）を決定する装置であって、
ターゲットアクセス及びモビリティ制御機能（ｔＡＭＦ）によって送信されるセッション更新要求又はセッション作成要求を受信するように構成された第２の受信モジュールと、
セッション更新応答又はセッション作成応答を前記ｔＡＭＦに応答するように構成された第２の送信モジュールと、を備え、
前記セッション更新応答又は前記セッション作成応答は、ベアラＩＤ割り当て情報を搬送する、装置。
【請求項２０】
記憶されたプログラムを含む記憶媒体であって、前記プログラムは、実行されると、請求項１〜１３のいずれか１項に記載の方法又は請求項１４に記載の方法を実行する、記憶媒体。
【発明の詳細な説明】
【技術分野】
【０００１】
本開示は、次世代無線通信（５Ｇ）の分野に関し、具体的には、ＥＰＳ（Ｅｖｏｌｖｅｄ  Ｐａｃｋｅｔ  Ｓｙｓｔｅｍ）ベアラ識別子（ＩＤ）を決定する方法及び装置、並びに記憶媒体に関する。
【背景技術】
【０００２】
第３世代パートナーシッププロジェクト（３ＧＰＰ）は、リリース８（Ｒ８）から第４世代（又はロングタームエボリューション（ＬＴＥ））移動通信システムを開発し始めた。図１は、従来技術における第４世代移動通信システムのネットワークアーキテクチャ図であり、以下、各ネットワーク要素の機能について説明する。
【０００３】
ユーザ機器（ＵＥ）は、４Ｇネットワークにアクセスされ、主に無線エアインタフェースを介してサービスを取得する。ＵＥは、エアインタフェースを介して基地局と対話し、非アクセス層（ＮＡＳ）シグナリングを介してコアネットワークのモビリティ管理エンティティ（ＭＭＥ）と対話する。
【０００４】
無線アクセスネットワーク（ＲＡＮ）基地局（ｅＮＢ）は、ＵＥがアクセスされるネットワークのエアインタフェースリソーススケジューリング及びエアインタフェース接続管理を担当する。
【０００５】
ＭＭＥは、コアネットワーク制御プレーンエンティティであり、ユーザ認証、認可とサブスクリプションチェック、ユーザモビリティ管理、パケットデータネットワーク（ＰＤＮ）接続、ベアラメンテナンス、ユーザＩＤＬＥ状態でのページングトリガ、及びその他の機能を主に担当する。
【０００６】
サービングゲートウェイ（Ｓ−ＧＷ）は、コアネットワークユーザプレーン機能エンティティであり、ローミングの場合にＰＤＮゲートウェイ（ＧＷ）との対話を主に担当する。
【０００７】
ＰＤＮ  ＧＷ（Ｐ−ＧＷ）は、コアネットワークユーザプレーン機能エンティティ及びＵＥがＰＤＮにアクセスするために使用されるアクセスポイントであり、ユーザインターネットプロトコル（ＩＰ）アドレス割り当て、ネットワークトリガベアラ確立、修正及び削除、サービス品質（ＱｏＳ）制御、課金、及び他の機能を担当し、３ＧＰＰシステムにおけるユーザのアンカーポイントであり、したがって、ＩＰアドレスは不変であることが保証され、サービス連続性が保証される。制御及び転送分離アーキテクチャでは、Ｐ−ＧＷはさらに２つのパートに分けられる。一つはパケットデータネットワークゲートウェイエンティティ（ＰＧＷ−Ｃｏｎｔｒｏｌ、ＰＧＷ−Ｃ）であり、もう一つはパケットデータネットワークゲートウェイユーザプレーンエンティティ（ＰＧＷ−Ｕｓｅｒ、ＰＧＷ−Ｕ）である。ＰＧＷ−Ｃはシグナリング制御を担い、ＰＧＷ−ＵはＩＰデータ転送を担っている。
【０００８】
ホームサブスクリプションサーバ（ＨＳＳ）には、ユーザのサブスクリプション情報が保存される。
【０００９】
ポリシー及び課金制御機能（ＰＣＲＦ）は、ポリシー決定及び課金ルールの策定を担う。ＰＣＲＦは、サービスデータフローに基づいてネットワーク制御ルールを提供する。ネットワーク制御は、サービスデータフロー検出、ゲーティング制御、ＱｏＳ制御、データフローに基づく課金ルールなどを含む。ＰＣＲＦは、ＰＣＲＦ自体が策定したポリシーと課金ルールを、実行のためにＰ−ＧＷに送信する。
【００１０】
３ＧＰＰは、リリース１４（Ｒ１４）からＮｅｘｔＧｅｎシステム（５ＧＳ）の研究を開始した。ＮｅｘｔＧｅｎシステムは、異なるネットワーク特性を有する、進化型モバイルブロードバンド（ｅＭＢＢ）、大規模マシンタイプ通信（ｍＭＴＣ）、及び超高信頼マシンタイプ通信（ｕＭＴＣ）の３つのタイプのサービスをサポートすることができる。図２は、従来技術におけるＮｅｘｔＧｅｎ移動通信ネットワークアーキテクチャの概略図であり、様々なネットワーク要素の機能を以下に説明する。
【００１１】
ＵＥは、ネットワークにアクセスされ、主にＮｅｘｔＧｅｎ無線エアインタフェースを介してサービスを取得する。ＵＥは、エアインタフェースを介して基地局と対話し、ＮＡＳシグナリングを介してコアネットワークの共通制御プレーン機能及びセッション制御プレーン機能と対話する。
【００１２】
ＮｅｘｔＧｅｎ無線アクセスネットワーク（ＮＧ  ＲＡＮ）基地局は、ＵＥがアクセスされるネットワークのエアインタフェースリソーススケジューリング及びエアインタフェース接続管理を担当する。ＮＧ  ＲＡＮ基地局は、新しい無線（ＮＲ）アクセス技術（ｇＮＢ）又は進化型ＬＴＥ技術（ｅＬＴＥ）を採用することができる。
【００１３】
セッション管理機能（ＳＭＦ）は、ＵＥと対話し、主に、ユーザパケットデータユニット（ＰＤＵ）セッション（ＰＤＵセッション）の確立、修正及び削除、ユーザプレーン機能（ＵＰＦ）の選択、ＵＥとＵＰＦ間のユーザプレーン接続の確立、ポリシー制御機能（ＰＣＦ）と共にセッションＱｏＳパラメータの決定などの要求を処理する。ＵＥの各ＰＤＵセッションには対応するＳＭＦがあり、異なるＰＤＵセッションには異なるＳＭＦがある場合がある。
【００１４】
アクセス及びモビリティ制御機能（ＡＭＦ）は、コアネットワークにおける共通の制御プレーン機能である。ユーザにはＡＭＦが１つだけある。１つのＡＭＦは、ユーザが正当なユーザであることを保証するためのユーザ認証、承認、及びサブスクリプションチェックと、ロケーション登録及び一時的な識別子割り当てを含むユーザモビリティ管理を担当する。また、１つのＡＭＦは、ユーザがＰＤＵ接続確立要求を開始したときの適切なＳＭＦの選択、ＵＥとＳＭＦ間のＮＡＳシグナリングの転送、及び基地局とＳＭＦ間のアクセス層（ＡＳ）シグナリングの転送を担当する。
【００１５】
ＵＰＦは、データ転送及びＱｏＳ実行を含むユーザプレーン処理機能を提供する。ユーザが移動するとき、ＵＰＦはまた、サービス連続性を保証するためにユーザプレーンアンカーポイントを提供する。
【００１６】
ＰＣＦは、４Ｇネットワーク内のＰＣＲＦと同様のリソースの許可機能を提供する。
【００１７】
ＵＤＭ（ｕｎｉｆｉｅｄ  ｄａｔａ  ｍａｎａｇｅｍｅｎｔ）は、４Ｇ時代のＨＳＳと同様に、ユーザのサブスクリプションデータを格納する。
【００１８】
ＮｅｘｔＧｅｎ  Ｓｙｓｔｅｍ（５ＧＳ）は、商業地区や商業センターなどのホットスポットにローカルに配備され始める。ＵＥが５Ｇシステムにアクセスされる場合、ユーザが５Ｇシステムのカバレージ外に移動すると、ユーザのＵＥは４Ｇシステムにハンドオーバされる。
【００１９】
図３は、従来技術における４Ｇと５Ｇとの間の双方向ハンドオーバのネットワークアーキテクチャ図である。中核的な特徴は、アーキテクチャが４Ｇアーキテクチャ及び５Ｇアーキテクチャと同時に互換性があることである。もう１つの中核的な特徴は、ＰＧＷ−ＣとＳＭＦの組み合わせ、ＰＧＷ−ＵとＵＰＦの組み合わせ、ＰＣＦとＰＣＲＦの組み合わせであり、ＵＥのユーザプレーンは常にＵＰＦ／ＰＧＷ−Ｕにアンカーされている。ＡＭＦとＭＭＥの間にＮ２６インタフェースを追加し、Ｎ２６インタフェースでシステム間ハンドオーバ要求を送信する。このようにして、ＵＥがＬＴＥと５Ｇとの間でハンドオーバされるとき、シームレスなハンドオーバを保証することができる。
【００２０】
４Ｇシステムでは、ＵＥとネットワーク間で確立される各ＰＤＮ接続に、１つのデフォルトベアラと複数の専用ベアラが含まれる。各ベアラの情報は、対応するサービスフロー及びＱｏＳパラメータを含み、各ベアラは、対応するＥＰＳ（ｅｖｏｌｖｅｄ  ｐａｃｋｅｔ  ｓｙｓｔｅｍ）ベアラＩＤ（ＥＢＩ）を有する。４Ｇシステムでは、ＥＢＩはＭＭＥによって割り当てられる。ＥＢＩは、ＵＥのすべてのＰＤＮ接続の間で一意である。ＥＢＩは４ビットを有し、理論的には１６の値が提供される。１６個の値のうちのいくつかは予約され、その後、多くとも１１個の値が利用可能である。
【００２１】
５Ｇシステムでは、ＵＥとネットワーク間にＰＤＵセッションが確立され、１つのデフォルトＱｏＳフローと複数の専用ＱｏＳフローが含まれる。各ＱｏＳフローには、ＱｏＳプロファイルやパケットフィルタなど、対応するサービスフローとＱｏＳパラメータが含まれる。各ＱｏＳフローは、ＱｏＳフローＩＤ（ＱＦＩ）という対応する識別子も有する。各ＰＤＵセッション内で、ＱＦＩは一意である。
【００２２】
４Ｇシステムと５Ｇシステムとの間のＵＥのシームレスモビリティは、４Ｇから５Ｇへのハンドオーバと、４Ｇから５Ｇへのアイドル状態モビリティとを含み、ＵＥのＩＰアドレスは変更されない。
【００２３】
ＵＥが５Ｇシステムから４Ｇシステムに移動する場合、５Ｇシステムで確立されたＰＤＵセッションは、４ＧシステムでＰＤＮ接続に変換される。そして、ＰＤＵセッションにおけるＱｏＳフローは、４Ｇシステムにおけるベアラに変換される。あるいは、ＵＥが４Ｇシステムから５Ｇシステムに移動する場合、４Ｇシステムで確立されたＰＤＮコネクションは、５Ｇシステムで確立されたＰＤＵセッションに変換され、ＰＤＮコネクションのベアラは、５ＧシステムでＱｏＳフローに変換される。
【００２４】
上記のシームレスなモビリティを確保するために、５ＧシステムにおいてＵＥに対してＰＤＵセッションのＱｏＳフローが確立されると、ＳＭＦ／ＰＧＷ−Ｃは、ＱｏＳフローに対応する４Ｇセッションパラメータ／ベアラ情報を割り当て、セッションパラメータ／ベアラ情報をＵＥに送信する必要がある。４ＧシステムにおいてＰＤＮ接続とベアラが確立されると、ＰＧＷ−Ｃ／ＳＭＦはまた、ＰＤＮ接続とベアラに対応する５Ｇ  ＰＤＵセッションとＱｏＳフロー情報を割り当て、５Ｇ  ＰＤＵセッションとＱｏＳフロー情報をＵＥに送信する必要がある。
【００２５】
複数のＳＭＦがＵＥのために提供され得るので、ＳＭＦによるＥＢＩ割り当ては、ＥＢＩ衝突（EBI collision）をもたらす、すなわち、同じＥＢＩ値が２つのＳＭＦによって割り当てられる。既存の技術では、５ＧシステムにおいてＵＥに対してＰＤＵセッションが確立され、ＱｏＳフローに対して４Ｇセッションパラメータが割り当てられると、ＥＢＩ割り当てがＡＭＦによって実行され、残りのパラメータがＳＭＦによって割り当てられる。
【００２６】
しかしながら、ＵＥが移動するとき、ターゲットＡＭＦは、どのＥＢＩが割り当てられたかをどのように知るのか？含まれるシナリオを以下に説明する。
【００２７】
シナリオ１：ＡＭＦ間アイドル状態モビリティについて、ＵＥがターゲットＡＭＦに登録要求を送信する場合、ターゲットＡＭＦは、どのＥＢＩがソースＡＭＦによって割り当てられたかをどのように知るのか。
【００２８】
シナリオ２：ＡＭＦ間ハンドオーバについて、ＵＥがターゲットＡＭＦにハンドオーバされる必要がある場合、ターゲットＡＭＦは、どのＥＢＩがソースＡＭＦによって割り当てられたかをどのように知るのか。
【００２９】
シナリオ３：４Ｇから５Ｇへのアイドル状態モビリティについて、ＵＥが５Ｇシステム内のターゲットＡＭＦに登録要求を送信する場合、ＡＭＦは、どのＥＢＩが４Ｇシステム内のＭＭＥによって割り当てられたかをどのように知るのか。
【００３０】
シナリオ４：４Ｇから５Ｇへの接続状態ハンドオーバについて、ＵＥが５Ｇにハンドオーバされた後、ターゲットＡＭＦは、どのＥＢＩがソースＭＭＥによって割り当てられたかをどのように知るのか。
【００３１】
５Ｇネットワークと従来の４Ｇネットワーク又はＬＴＥ基地局とが共存する場合、４Ｇネットワークシステムと５Ｇネットワークシステムとの間、及び５Ｇネットワークシステム内のベアラＩＤの決定を達成するために、ＥＢＩ割り当て状況は、既存の技術ではソースＡＭＦからターゲットＡＭＦに渡されるＡＭＦのモビリティコンテキストとして使用される。しかしながら、この解決策は、シナリオ３及び４ではなく、シナリオ１及び２のみを扱うことができる。ＭＭＥが修正され、ＥＢＩ割り当て情報を渡すことが可能にされる場合、ＭＭＥの修正は非常に複雑である。また、ＥＢＩ割り当て情報は、ＥＢＩ値のリストだけでなく、各ＥＢＩ値に対応する５Ｇセッション情報も含む。ただし、４Ｇでは、５Ｇセッション情報のすべてがＰＧＷ−Ｃ／ＳＭＦによって割り当てられ、ＭＭＥでは使用できない。
【００３２】
既存の技術では、５Ｇ内のアイドル状態モビリティ、４Ｇから５Ｇへのアイドル状態モビリティ、及び４Ｇから５Ｇへの接続状態ハンドオーバなどのモビリティイベントが発生した後、割り当てられたＥＢＩ情報をどのように決定するかは、効果的に解決されていない。
【発明の概要】
【００３３】
本開示の実施形態は、５Ｇ内のアイドル状態モビリティ、４Ｇから５Ｇへのアイドル状態モビリティ、及び４Ｇから５Ｇへの接続状態ハンドオーバなどのモビリティイベントが発生した後に、割り当てられた進化型パケットシステム（ＥＰＳ）ベアラＩＤ（ＥＢＩ）情報をどのように決定するかという、まだ効果的に解決されていない関連技術における課題を少なくとも解決するために、ベアラ識別子（ＩＤ）を決定する方法及び装置、並びに記憶媒体を提供する。
【００３４】
本開示の実施形態は、
ターゲットアクセス及びモビリティ制御機能（ｔＡＭＦ）により、セッション管理機能（ＳＭＦ）にセッション更新要求を送信することと、ｔＡＭＦにより、ベアラＩＤ割り当て情報を搬送し、ＳＭＦによって応答されるセッション更新応答を受信することと、を含む、ベアラＩＤを決定する方法を提供する。
【００３５】
ベアラＩＤ割り当て情報は、ソースアクセス及びモビリティ制御機能（ｓＡＭＦ）又はモバイル管理エンティティ（ＭＭＥ）によって割り当てられたベアラＩＤをｔＡＭＦに通知するために使用されてもよい。
【００３６】
セッション更新要求は、ベアラＩＤ情報を要求するための指示を搬送してもよい。
【００３７】
ベアラＩＤ割り当て情報は、ベアラＩＤリストを含むか、又は、ベアラＩＤリストと、各ベアラＩＤに対応するプライオリティ及びパケットデータユニットセッション（ＰＤＵセッション）ＩＤの少なくとも１つとを含んでいてもよい。
【００３８】
ｔＡＭＦにより、ＳＭＦにセッション更新要求を送信することは、
ｔＡＭＦにより、ユーザ機器（ＵＥ）から送信された登録要求を受信することと、
ｔＡＭＦが登録要求を受信した後、ｔＡＭＦにより、ソースネットワークの第１のネットワーク要素からＵＥのコンテキストを要求することと、
ｔＡＭＦにより、ソースネットワークの第１のネットワーク要素によって送信されたＵＥのコンテキストを受信し、ｔＡＭＦにより、コンテキストに応じてセッション更新要求をＳＭＦに送信することと、を含んでいてもよい。
【００３９】
登録要求は、５Ｇネットワークにアクセスし、アイドル状態に入ったＵＥによって送信される登録要求、又は、４Ｇネットワークにアクセスし、アイドル状態に入り、その後５Ｇネットワークに移動したＵＥによって送信される登録要求を含んでいてもよい。
【００４０】
本方法は、さらに、
ｔＡＭＦにより、統合データ管理（ＵＤＭ）へのロケーション更新プロセスを開始することを含んでいてもよく、ロケーション更新プロセスは、ＵＤＭがソースＡＭＦへのロケーション削除プロセスを開始するために使用される。
【００４１】
本方法は、さらに、ｔＡＭＦにより、ＳＭＦにセッション更新要求を送信する前に、
ｔＡＭＦにより、ターゲット基地局によって送信されたハンドオーバ準備応答メッセージを受信することを含んでいてもよい。
【００４２】
本方法は、さらに、
ソースネットワークの第１のネットワーク要素がソース基地局から送信されたハンドオーバ要求を受信した後、ｔＡＭＦにより、ソースネットワークの第１のネットワーク要素によって送信されたハンドオーバ準備要求を受信することであって、ハンドオーバ準備要求は、ターゲット基地局情報と現在のセッション情報を搬送する、受信することと、
ハンドオーバ準備要求に従って、ｔＡＭＦにより、パケットデータユニットセッション（ＰＤＵセッション）ハンドオーバ要求をＳＭＦに送信することと、
ｔＡＭＦにより、ＳＭＦから送信されたハンドオーバされるＰＤＵセッションのＮ２セッション情報を受信することと、
ハンドオーバされるＰＤＵセッションのセッション情報に従って、ｔＡＭＦにより、ハンドオーバ準備要求をターゲット基地局に送信することであって、ハンドオーバ準備要求は、リソース予約を要求するために使用される、送信することと、を含んでいてもよく、
ハンドオーバ準備応答メッセージは、リソースが正常に予約されたＰＤＵセッションに割り当てられた予約無線リソース情報、Ｎ２応答情報、Ｎ３トンネル情報を搬送し、セッション更新要求は、ハンドオーバ準備応答メッセージを搬送する。
【００４３】
本方法は、ｔＡＭＦにより、ハンドオーバ応答をソースネットワークの第１のネットワーク要素に返送することをさらに含んでいてもよく、ハンドオーバ応答は、ソースネットワークの第１のネットワーク要素がハンドオーバコマンドをソース基地局に送信するために使用され、ハンドオーバコマンドは、ユーザ機器（ＵＥ）がソース基地局からターゲット基地局にハンドオーバするために使用される。
【００４４】
本方法は、ｔＡＭＦにより、ＳＭＦにセッション更新要求を送信する前に、ｔＡＭＦにより、ターゲット基地局から送信されたハンドオーバ完了通知を受信することをさらに含んでいてもよい。
【００４５】
ソースネットワークの第１のネットワーク要素は、ソースアクセス及びモビリティ制御機能（ｓＡＭＦ）又はモバイル管理エンティティ（ＭＭＥ）を含んでいてもよい。
【００４６】
ＳＭＦは、ＳＭＦ自体、又はＳＭＦとパケットデータネットワーク（ＰＤＮ）ゲートウェイ制御プレーン（ＰＧＷ−Ｃ）の組み合わせを含んでいてもよい。
【００４７】
本開示の一実施形態は、
セッション管理機能（ＳＭＦ）により、ターゲットアクセス及びモビリティ制御機能（ｔＡＭＦ）から送信されたセッション更新要求を受信することと、ＳＭＦにより、ベアラ識別子（ＩＤ）割り当て情報を搬送するセッション更新応答をｔＡＭＦに応答することと、を含むベアラＩＤを決定する方法を提供する。
【００４８】
本開示の一実施形態は、ターゲットアクセス及びモビリティ制御機能（ｔＡＭＦ）に適用されるベアラ識別子（ＩＤ）を決定する装置であって、
セッション管理機能（ＳＭＦ）にセッション更新要求を送信するように構成された第１の送信モジュールと、ベアラＩＤ割り当て情報を搬送し、ＳＭＦから応答されるセッション更新応答を受信するように構成された第１の受信モジュールと、を備える装置を提供する。
【００４９】
ベアラＩＤ割り当て情報は、ソースアクセス及びモビリティ制御機能（ｓＡＭＦ）又はモバイル管理エンティティ（ＭＭＥ）によって割り当てられたベアラＩＤをｔＡＭＦに通知するために使用されてもよい。
【００５０】
第１の受信モジュールは、ユーザ機器（ＵＥ）によって送信された登録要求と、ソースネットワークの第１のネットワーク要素によって送信されたＵＥのコンテキストとを受信するようにさらに構成され、第１の送信モジュールは、ソースネットワークの第１のネットワーク要素からＵＥのコンテキストを要求し、コンテキストに従ってセッション更新要求をＳＭＦに送信するようにさらに構成されていてもよい。
【００５１】
ソースネットワークの第１のネットワーク要素は、ソースアクセス及びモビリティ制御機能（ｓＡＭＦ）又はモバイル管理エンティティ（ＭＭＥ）を含んでいてもよい。
【００５２】
本開示の一実施形態は、セッション管理機能（ＳＭＦ）に適用されるベアラ識別子（ＩＤ）を決定する装置であって、
ターゲットアクセス及びモビリティ制御機能（ｔＡＭＦ）によって送信されたセッション更新要求を受信するように構成された第２の受信モジュールと、ベアラＩＤ割り当て情報を搬送するセッション更新応答をｔＡＭＦに応答するように構成された第２の送信モジュールと、を備える装置を提供する。
【００５３】
本開示の別の実施形態は、記憶媒体を提供する。記憶媒体は、実行されると、上述の実施形態のいずれか１つのベアラＩＤを決定する方法を実行する、記憶されたプログラムを含む。
【００５４】
本開示では、ｔＡＭＦが、ベアラＩＤ割り当て情報を搬送する、ＳＭＦによって応答されるセッション更新応答を受信する。このことは、５Ｇ内のアイドル状態モビリティ、４Ｇから５Ｇへのアイドル状態モビリティ、及び４Ｇから５Ｇへの接続状態ハンドオーバなどのモビリティイベントが発生した後に、割り当てられたＥＢＩ情報をどのように決定するかという、まだ効果的には解決されていない既存の技術における課題を解決することができる。さらに、ＭＭＥに特別な要求は必要ないので、従来のネットワークを更新する必要がなく、したがって従来のネットワークとの互換性が達成される。
【図面の簡単な説明】
【００５５】
本明細書で説明される図面は、本開示のより良い理解を提供するために使用され、本出願の一部を形成する。本開示における例示的な実施形態及びその説明は、本開示を説明するために使用され、いかなる不適切な方法においても本開示を限定するものではない。図面において、
【図１】従来の第４世代移動通信システムのネットワークアーキテクチャ図である。
【図２】従来技術におけるＮｅｘｔＧｅｎ移動通信ネットワークアーキテクチャの概略図である。
【図３】従来技術における４Ｇと５Ｇとの間の双方向ハンドオーバのネットワークアーキテクチャ図である。
【図４】本開示の一実施形態によるベアラ識別子（ＩＤ）を決定する方法のフローチャート（１）である。
【図５】本開示の一実施形態によるベアラＩＤを決定する方法のフローチャート（２）である。
【図６】本開示の一実施形態によるベアラＩＤを決定する装置の構造ブロック図（１）である。
【図７】本開示の一実施形態によるベアラＩＤを決定する装置の構造ブロック図（２）である。
【図８】本開示の好ましい実施形態によるベアラＩＤを決定する方法のフローチャート（１）である。
【図９】本開示の好ましい実施形態によるベアラＩＤを決定する方法のフローチャート（２）である。
【図１０】本開示の好ましい実施形態によるベアラＩＤを決定する方法のフローチャート（３）である。
【図１１】本開示の好ましい実施形態によるベアラＩＤを決定する方法のフローチャート（４）である。
【発明を実施するための形態】
【００５６】
以下、図面を参照しつつ、実施の形態を参照して本開示を詳細に説明する。対立しない場合、本出願における実施形態及びその特徴は、互いに組み合わされてもよいことに留意されたい。
【００５７】
本開示の明細書、特許請求の範囲、及び上記の図面における「第１の」、「第２の」などの用語は、同様の対象を区別するために使用され、必ずしも特定の順番又は順序を説明するために使用されないことに留意されたい。
【００５８】
実施形態１
【００５９】
本実施形態はベアラＩＤを決定する方法を提供する。図４は、本開示の実施形態に係るベアラＩＤを決定する方法のフローチャート（１）である。図４に示すように、この方法のプロセスは、以下に説明するステップを含む。
【００６０】
Ｓ４０２において、ｔＡＭＦによってＳＭＦにセッション更新要求が送信される。
【００６１】
Ｓ４０４において、ベアラＩＤ割り当て情報を搬送する、ＳＭＦによって応答されるセッション更新応答を受信する。
【００６２】
上記の手順により、ｔＡＭＦはＳＭＦにセッション更新要求を送信し、ベアラＩＤ割り当て情報を搬送する、ＳＭＦから応答されるセッション更新応答を受信する。ｔＡＭＦは、ベアラＩＤ割り当て情報を搬送する、ＳＭＦによって応答されるセッション更新応答を受信することができ、これは５Ｇ内のアイドル状態モビリティ、４Ｇから５Ｇへのアイドル状態モビリティ、及び４Ｇから５Ｇへの接続状態ハンドオーバなどのモビリティイベントが発生した後に、割り当てられたＥＢＩ情報をどのように決定するかという、まだ効果的には解決されていない関連技術における課題を解決することができる。さらに、ＭＭＥに特別な要求は必要ないので、従来のネットワークを更新する必要がなく、したがって従来のネットワークとの互換性が達成される。
【００６３】
ベアラＩＤ割り当て情報は、ｓＡＭＦ又はＭＭＥによって割り当てられたベアラＩＤをｔＡＭＦに通知するために使用されてもよい。
【００６４】
セッション更新要求は、ベアラＩＤ情報を要求するための指示を搬送してもよい。
【００６５】
ベアラＩＤ割り当て情報は、ベアラＩＤリストを含むか、又はベアラＩＤリストと、各ベアラＩＤに対応するプライオリティ及びＰＤＵセッションＩＤの少なくとも１つを含んでいてもよい。
【００６６】
ｔＡＭＦがＳＭＦにセッション更新要求を送信する方法は、以下に説明するステップを含んでいてもよい。
【００６７】
ｔＡＭＦは、ＵＥによって送信された登録要求を受信する。
【００６８】
ｔＡＭＦは、ｔＡＭＦが登録要求を受信した後、ソースネットワークの第１のネットワーク要素からＵＥのコンテキストを要求する。
【００６９】
ｔＡＭＦは、ソースネットワークの第１のネットワーク要素が送信したＵＥのコンテキストを受信し、コンテキストに応じてＳＭＦにセッション更新要求を送信する。
【００７０】
登録要求は、５Ｇネットワークにアクセスし、アイドル状態に入ったＵＥによって送信される登録要求、又は４Ｇネットワークにアクセスし、アイドル状態に入り、その後５Ｇネットワークに移動したＵＥによって送信される登録要求を含んでいてもよい。
【００７１】
本方法は、以下に記載されるステップをさらに含んでいてもよい。
【００７２】
ｔＡＭＦは、ＵＤＭへのロケーション更新プロセスを開始し、ロケーション更新プロセスは、ＵＤＭがｓＡＭＦへのキャンセルロケーションプロセスを開始するために使用される。
【００７３】
ｔＡＭＦがセッション更新要求をＳＭＦに送信する前に、本方法は、以下で説明するステップをさらに含んでいてもよい。
【００７４】
ｔＡＭＦは、ターゲット基地局によって送信されたハンドオーバ準備応答メッセージを受信する。
【００７５】
本方法は、以下に記載されるステップをさらに含んでいてもよい。
【００７６】
ｔＡＭＦは、ソースネットワークの第１のネットワーク要素がソース基地局によって送信されたハンドオーバ要求を受信した後に、ソースネットワークの第１のネットワーク要素によって送信されたハンドオーバ準備要求を受信する。このハンドオーバ準備要求は、ターゲット基地局情報と現在のセッション情報を搬送する。
【００７７】
ｔＡＭＦは、ハンドオーバ準備要求に従ってＰＤＵセッションハンドオーバ要求をＳＭＦに送信する。
【００７８】
ｔＡＭＦは、ＳＭＦによって送信される、ハンドオーバされるＰＤＵセッションのＮ２セッション情報を受信する。
【００７９】
ｔＡＭＦは、ハンドオーバされるＰＤＵセッションのセッション情報に従って、ハンドオーバ準備要求をターゲット基地局に送信し、ハンドオーバ準備要求は、リソース予約を要求するために使用される。
【００８０】
ハンドオーバ準備応答メッセージは、リソースが正常に予約されたＰＤＵセッションに割り当てられた予約無線リソース情報、Ｎ２応答情報、Ｎ３トンネル情報を搬送し、セッション更新要求は、ハンドオーバ準備応答メッセージを搬送する。
【００８１】
本方法は、ｔＡＭＦがソースネットワークの第１のネットワーク要素にハンドオーバ応答を返送することをさらに含んでいてもよく、ハンドオーバ応答は、ソースネットワークの第１のネットワーク要素がソース基地局にハンドオーバコマンドを送信するために使用され、ハンドオーバコマンドは、ＵＥがソース基地局からターゲット基地局にハンドオーバするために使用される。
【００８２】
ｔＡＭＦがセッション更新要求をＳＭＦに送信する前に、本方法は、ｔＡＭＦがターゲット基地局によって送信されたハンドオーバ完了通知を受信することをさらに含んでいてもよい。
【００８３】
ソースネットワークの第１のネットワーク要素は、ｓＡＭＦ又はＭＭＥを含んでいてもよい。
【００８４】
必要に応じて、ＳＭＦは、ＳＭＦ自体、又はＳＭＦとパケットデータネットワーク（ＰＤＮ）ゲートウェイ制御プレーン（ＰＧＷ−Ｃ）との組み合わせを含んでいてもよい。
【００８５】
上述の実施形態の説明から、上述の任意の実施形態の方法は、ソフトウェアに加えて必要な汎用ハードウェアプラットフォームによって実施されてもよく、又は当然ながらハードウェアによって実施されてもよいが、多くの場合、前者は好ましい実施形態であることが、当業者には明らかであろう。この理解に基づいて、本開示によって実質的に提供される解決策、又は既存の技術に寄与する部分は、ソフトウェア製品の形態で実施することができる。コンピュータソフトウェア製品は、記憶媒体（リードオンリメモリ（ＲＯＭ）／ランダムアクセスメモリ（ＲＡＭ）、磁気ディスク又は光ディスクなど）に記憶され、端末装置（携帯電話、コンピュータ、サーバ、ネットワーク装置などであってもよい）が本開示の各実施形態に記載の方法を実行できるようにするためのいくつかの命令を含む。
【００８６】
実施形態２
【００８７】
本実施形態は、ベアラＩＤを決定する方法を提供する。図５は、本開示の実施形態に係るベアラＩＤを決定する方法のフローチャート（２）である。図５に示すように、本方法のプロセスは、以下に説明するステップを含む。
【００８８】
Ｓ５０２において、ＳＭＦは、ｔＡＭＦによって送信されたセッション更新要求を受信する。
【００８９】
Ｓ５０４において、ベアラＩＤ割り当て情報を搬送するセッション更新応答がｔＡＭＦに応答される。
【００９０】
上記の手順により、ＳＭＦは、ｔＡＭＦによって送信されたセッション更新要求を受信し、ベアラＩＤ割り当て情報を搬送するセッション更新応答をｔＡＭＦに返送する。ＳＭＦは、ベアラＩＤ割り当て情報を搬送するセッション更新応答に応答し、これは５Ｇ内のアイドル状態モビリティ、４Ｇから５Ｇへのアイドル状態モビリティ、及び４Ｇから５Ｇへの接続状態ハンドオーバなどのモビリティイベントが発生した後に、割り当てられたＥＢＩ情報をどのように決定するかという、まだ効果的には解決されていない関連技術における課題を解決することができる。さらに、ＭＭＥに特別な要求は必要ないので、従来のネットワークを更新する必要がなく、したがって従来のネットワークとの互換性が達成される。
【００９１】
上述の実施形態の説明から、上述の任意の実施形態の方法は、ソフトウェアに加えて必要な汎用ハードウェアプラットフォームによって実施されてもよく、又は当然ながらハードウェアによって実施されてもよいが、多くの場合、前者は好ましい実施形態であることが、当業者には明らかであろう。この理解に基づいて、本開示によって実質的に提供される解決策、又は関連技術に寄与する部分は、ソフトウェア製品の形態で実施することができる。コンピュータソフトウェア製品は、記憶媒体（ＲＯＭ／ＲＡＭ、磁気ディスク又は光ディスクなど）に記憶され、端末装置（携帯電話、コンピュータ、サーバ、ネットワーク装置などであってもよい）が本開示の各実施形態に記載の方法を実行できるようにするためのいくつかの命令を含む。
【００９２】
実施形態３
【００９３】
一実施形態はさらに、ｔＡＭＦに適用されるベアラＩＤを決定する装置を提供する。本装置は、上述の実施形態及び任意の実施形態を実施するように構成される。説明した内容については説明を省略する。以下で使用されるように、用語「モジュール」は、所定の機能を実装することができるソフトウェア、ハードウェア、又はそれらの組み合わせであってもよい。なお、以下に説明する実施の形態における装置は、ソフトウェアにより実現されることが好ましいが、ハードウェアにより実現されてもよいし、ソフトウェアとハードウェアとの組み合わせにより実現されてもよい。
【００９４】
図６は、本開示の実施形態に係るベアラＩＤ決定装置の構成ブロック図（１）である。図６に示すように、本装置は、第１の送信モジュール６０１と、第１の受信モジュール６０３とを備える。
【００９５】
第１の送信モジュール６０１は、セッション更新要求をＳＭＦに送信するように構成される。
【００９６】
第１の受信モジュール６０３は、ベアラＩＤ割り当て情報を搬送する、ＳＭＦによって応答されるセッション更新応答を受信するように構成される。
【００９７】
以上説明した実施形態では、第１の送信モジュール６０１は、セッション更新要求をＳＭＦに送信し、第１の受信モジュール６０３は、ベアラＩＤ割り当て情報を搬送する、ＳＭＦによって応答されるセッション更新応答を受信する。第１の受信モジュール６０３は、ベアラＩＤ割り当て情報を搬送する、ＳＭＦによって応答されるセッション更新応答を受信することができ、これは５Ｇ内のアイドル状態モビリティ、４Ｇから５Ｇへのアイドル状態モビリティ、及び４Ｇから５Ｇへの接続状態ハンドオーバなどのモビリティイベントが発生した後に、割り当てられたＥＢＩ情報をどのように決定するかという、まだ効果的には解決されていない関連技術における課題を解決することができる。さらに、ＭＭＥに特別な要求は必要ないので、従来のネットワークを更新する必要がなく、したがって従来のネットワークとの互換性が達成される。
【００９８】
ベアラＩＤ割り当て情報は、ｓＡＭＦ又はＭＭＥによって割り当てられたベアラＩＤをｔＡＭＦに通知するために使用されてもよい。
【００９９】
セッション更新要求は、ベアラＩＤ情報を要求するための指示を搬送してもよい。
【０１００】
ベアラＩＤ割り当て情報は、ベアラＩＤリストを含むか、又はベアラＩＤリストと、各ベアラＩＤに対応するプライオリティ及びＰＤＵセッションＩＤの少なくとも１つとを含んでいてもよい。
【０１０１】
第１の受信モジュール６０３は、ＵＥによって送信された登録要求と、ソースネットワークの第１のネットワーク要素によって送信されたＵＥのコンテキストとを受信するようにさらに構成されてもよい。
【０１０２】
第１の送信モジュール６０１はさらに、ソースネットワークの第１のネットワーク要素からＵＥのコンテキストを要求し、コンテキストに従ってセッション更新要求をＳＭＦに送信するように構成される。
【０１０３】
登録要求は、５Ｇネットワークにアクセスし、アイドル状態に入ったＵＥによって送信される登録要求、又は４Ｇネットワークにアクセスし、アイドル状態に入り、その後ＵＥが５Ｇネットワークに移動したＵＥによって送信される登録要求を含む。
【０１０４】
第１の送信モジュール６０１は、ＵＤＭへのロケーション更新プロセスを開始するようにさらに構成され、ロケーション更新プロセスはｓＡＭＦへのキャンセルロケーションプロセスを開始するためにＵＤＭに使用されてもよい。
【０１０５】
第１の受信モジュール６０３は、ターゲット基地局によって送信されたハンドオーバ準備応答メッセージを受信するようにさらに構成されてもよい。
【０１０６】
第１の受信モジュール６０３は、ソースネットワークの第１のネットワーク要素がソース基地局から送信されたハンドオーバ要求を受信した後にソースネットワークの第１のネットワーク要素によって送信されるハンドオーバ準備要求を受信するようにさらに構成されてもよく、ハンドオーバ準備要求は、ターゲット基地局情報及び現在のセッション情報を搬送し、ＳＭＦによって送信され、ハンドオーバされるＰＤＵセッションのＮ２セッション情報を受信する。
【０１０７】
第１の送信モジュール６０１は、ハンドオーバ準備要求に従ってＰＤＵセッションハンドオーバ要求をＳＭＦに送信し、ハンドオーバされるＰＤＵセッションのセッション情報に従ってハンドオーバ準備要求をターゲット基地局に送信するようにさらに構成され、ハンドオーバ準備要求は、リソース予約を要求するために使用される。
【０１０８】
ハンドオーバ準備応答メッセージは、リソースが正常に予約されたＰＤＵセッションに割り当てられた予約無線リソース情報、Ｎ２応答情報、Ｎ３トンネル情報を搬送し、セッション更新要求は、ハンドオーバ準備応答メッセージを搬送する。
【０１０９】
第１の送信モジュール６０１は、ソースネットワークの第１のネットワーク要素にハンドオーバ応答を返送するようにさらに構成されてもよく、ハンドオーバ応答は、ソースネットワークの第１のネットワーク要素がソース基地局にハンドオーバコマンドを送信するために使用され、ハンドオーバコマンドは、ＵＥがソース基地局からターゲット基地局にハンドオーバするために使用される。
【０１１０】
第１の受信モジュール６０３は、ターゲット基地局によって送信されたハンドオーバ完了通知を受信するようにさらに構成されてもよい。
【０１１１】
ソースネットワークの第１のネットワーク要素は、ｓＡＭＦ又はＭＭＥを含んでいてもよい。
【０１１２】
ＳＭＦは、ＳＭＦ自体、又はＳＭＦとパケットデータネットワーク（ＰＤＮ）ゲートウェイ制御プレーン（ＰＧＷ−Ｃ）との組み合わせを含んでいてもよい。
【０１１３】
上述の様々なモジュールは、ソフトウェア又はハードウェアによって実現され得ることに留意されたい。ハードウェアによる実施は、以下の方法で実施することはできるが、必ずしもそうではない。上述の様々なモジュールは、同一のプロセッサ又はそれぞれのプロセッサに任意の組み合わせで配置される。
【０１１４】
実施形態４
【０１１５】
一実施形態は、ＳＭＦに適用される、ベアラＩＤを決定する装置をさらに提供する。本装置は、上述の実施形態及び任意の実施形態を実施するように構成される。説明した内容については説明を省略する。以下で使用されるように、用語「モジュール」は、所定の機能を実装することができるソフトウェア、ハードウェア、又はそれらの組み合わせであってもよい。なお、以下に説明する実施の形態における装置はソフトウェアにより実現されることが好ましいが、ハードウェアにより実現されてもよいし、ソフトウェアとハードウェアとの組み合わせにより実現されてもよい。
【０１１６】
図７は、本開示の実施形態に係るベアラＩＤ決定装置の構成ブロック図（２）である。図７に示すように、本装置は、第２の受信モジュール７０１及び第２の送信モジュール７０３を備える。
【０１１７】
第２の受信モジュール７０１は、ｔＡＭＦによって送信されたセッション更新要求を受信するように構成される。
【０１１８】
第２の送信モジュール７０３は、ベアラＩＤ割り当て情報を搬送するセッション更新応答をｔＡＭＦに応答するように構成される。
【０１１９】
上述した実施形態では、第２の受信モジュール７０１は、ｔＡＭＦによって送信されたセッション更新要求を受信し、第２の送信モジュール７０３は、ベアラＩＤ割り当て情報を搬送するセッション更新応答をｔＡＭＦに応答する。第２の送信モジュール７０３は、ベアラＩＤ割り当て情報を搬送するセッション更新応答に応答することができ、これは５Ｇ内のアイドル状態モビリティ、４Ｇから５Ｇへのアイドル状態モビリティ、及び４Ｇから５Ｇへの接続状態ハンドオーバなどのモビリティイベントが発生した後に、割り当てられたＥＢＩ情報をどのように決定するかという、まだ効果的には解決されていない関連技術における課題を解決することができる。さらに、ＭＭＥに特別な要求は必要ないので、従来のネットワークを更新する必要がなく、したがって従来のネットワークとの互換性が達成される。
【０１２０】
上述の様々なモジュールは、ソフトウェア又はハードウェアによって実現され得ることに留意されたい。ハードウェアによる実施は、以下の方法で実施することはできるが、必ずしもそうではない。上述の様々なモジュールは、同一のプロセッサ又はそれぞれのプロセッサに任意の組み合わせで配置される。
【０１２１】
上記のベアラＩＤを決定する方法が実施例１〜５に関連して以下に説明されるが、本開示の実施形態の範囲を限定することを意図しない。
【０１２２】
実施例１
【０１２３】
５Ｇ内のアイドル状態モビリティ／ハンドオーバ、又は４Ｇから５Ｇへのアイドル状態モビリティ／ハンドオーバが発生すると、ＳＭＦは、セッション更新要求に応答して、ＥＢＩ割り当て情報をＡＭＦに返送する。
【０１２４】
ＡＭＦは、セッション更新要求においてＥＢＩ情報を要求することができる。
【０１２５】
５Ｇ内のアイドル状態モビリティが発生すると、４Ｇセッション情報が割り当てられたＰＤＵセッションがＵＥによってアクティブに設定される。
【０１２６】
４Ｇから５Ｇへのアイドル状態モビリティが発生すると、５Ｇセッション情報が割り当てられたＰＤＮ接続に対応するＰＤＵセッションがＵＥによってアクティブに設定される。
【０１２７】
実施例２
【０１２８】
図８は、本開示の好ましい実施形態によるベアラＩＤを決定する方法のフローチャート（１）である。アプリケーションシナリオはＡＭＦ間アイドル状態モビリティであり、ＵＥは５Ｇシステムにアクセスされ、ＵＥに提供されるＡＭＦはＡＭＦ１、つまりソースＡＭＦ（ｓＡＭＦ）である。ＵＥはアイドル状態に入り、ｓＡＭＦのトラッキングエリアの外に移動する。
【０１２９】
以下、各ステップについて説明する。
【０１３０】
Ｓ８０１において、ＵＥは登録要求を送信し、その後、当該要求は５Ｇ基地局によって受信され、ＡＭＦ２、すなわちターゲットＡＭＦ（ｔＡＭＦ）に送信される。４Ｇに対応するパラメータが割り当てられているＰＤＵセッションは、登録要求においてＵＥによってアクティブに設定されていてもよい。
【０１３１】
Ｓ８０２において、ｔＡＭＦは、ｓＡＭＦからＵＥのコンテキストを要求する。
【０１３２】
Ｓ８０３において、ｓＡＭＦは、ＵＥのコンテキストをｔＡＭＦに返送する。
【０１３３】
Ｓ８０４において、ｔＡＭＦは、ＵＤＭへのロケーション更新プロセスを開始する。
【０１３４】
Ｓ８０５において、ＵＤＭは、ｓＡＭＦに対してキャンセルロケーションプロセスを開始する。
【０１３５】
Ｓ８０６において、ｔＡＭＦは、ＵＥのコンテキストに従ってＳＭＦへのセッション更新要求を開始し、ＥＢＩ情報を要求するための指示が搬送されてもよい。
【０１３６】
Ｓ８０７において、ＳＭＦは、セッション更新応答をｔＡＭＦに返送し、ここで、ＥＢＩ割り当て情報が搬送され、ＥＢＩ割り当て情報はＥＢＩのリストを含み、各ＥＢＩに対応する優先度情報、ＰＤＵセッションＩＤ、及び他の情報を含むこともできる。
【０１３７】
ＵＥが複数のＰＤＵセッションを有するとき、ステップＳ８０６及びＳ８０７は、各ＰＤＵセッションに対して実行される必要があってもよい。
【０１３８】
Ｓ８０８において、ｔＡＭＦは、登録受諾メッセージをＵＥに返送する。
【０１３９】
実施例３
【０１４０】
図９は、本開示の好ましい実施形態によるベアラＩＤを決定する方法のフローチャート（２）である。アプリケーションシナリオは、５Ｇ内のＡＭＦ間ハンドオーバであり、ＵＥは５Ｇシステムにアクセスされ、ＵＥにサービス提供するＡＭＦはソースＡＭＦ（ｓＡＭＦ）であり、ＵＥは接続状態にある。ＵＥが移動しているとき、５Ｇをサービス提供する基地局５Ｇ  ＲＡＮ１（すなわち、上記実施形態におけるソース基地局）は、ＵＥが信号カバレッジ範囲外に移動することを発見する。
【０１４１】
以下、各ステップについて説明する。
【０１４２】
Ｓ９０１において、５Ｇ基地局５Ｇ  ＲＡＮ１は、ＵＥがカバレッジ範囲外に移動することを発見し（例えば、ＲＡＮ１はＵＥの測定レポートに従って、ＵＥの信号がハンドオーバ閾値より低いことを発見し）、５Ｇ  ＲＡＮ１はＵＥをターゲット基地局５Ｇ  ＲＡＮ２にハンドオーバすることを決定する。５Ｇ基地局５Ｇ  ＲＡＮ１は、ｓＡＭＦへのハンドオーバ要求を開始し、ここで、メッセージは、ターゲット基地局情報と現在のセッション情報を搬送し、セッション情報はＰＤＵセッション情報を含む。
【０１４３】
Ｓ９０２において、ｓＡＭＦは、ターゲット基地局情報に従ってターゲットＡＭＦ（ｔＡＭＦ）を選択し、次にｔＡＭＦへのハンドオーバ準備要求を開始する。ここで、メッセージは、ターゲット基地局情報と現在のセッション情報を搬送し、現在のセッション情報はＳＭＦアドレスとＰＤＵセッション情報を含む。
【０１４４】
Ｓ９０３において、ｔＡＭＦは、ＳＭＦ情報に従って、ＳＭＦにＰＤＵセッションハンドオーバ要求を送信する。
【０１４５】
Ｓ９０４において、ＳＭＦは、ＱｏＳなどの情報が含まれる、ハンドオーバされるＰＤＵセッションのＮ２セッション情報を返送する。
【０１４６】
ＵＥ内の複数のＰＤＵセッションをハンドオーバする必要がある場合、ハンドオーバされる各ＰＤＵセッションに基づいて、ｔＡＭＦについてステップＳ９０３及びＳ９０４が実行されてもよい。
【０１４７】
Ｓ９０５において、ハンドオーバされるすべてのＰＤＵセッションのＳＭＦ応答を受信した後、ｔＡＭＦは、セッション情報に従って、ターゲット基地局５Ｇ  ＲＡＮ２からのリソース予約を要求する。
【０１４８】
Ｓ９０６において、５Ｇ基地局５Ｇ  ＲＡＮ２は、無線リソースを予約し、ＰＤＵセッション情報に従ってハンドオーバ応答メッセージを返送し、ハンドオーバ応答メッセージは、リソースが正常に予約されたＰＤＵセッションに、ターゲット基地局によって割り当てられた予約無線リソース情報、Ｎ２応答情報及びＮ３トンネル情報を搬送する。
【０１４９】
Ｓ９０７において、ｔＡＭＦは、ＳＭＦにセッション更新要求メッセージを送信し、セッション更新要求メッセージは、Ｎ２ハンドオーバ準備応答とＮ３トンネル情報を搬送する。ＥＢＩを要求するための指示が、セッション更新要求メッセージで搬送される。
【０１５０】
Ｓ９０８において、ＳＭＦは、セッション更新要求に対する応答をｔＡＭＦに返送する。ＳＭＦのＥＢＩ割り当て情報は、セッション更新要求に応答して搬送される。
【０１５１】
ＵＥ内の複数のＰＤＵセッションをハンドオーバする必要がある場合、ハンドオーバされる各ＰＤＵセッションに基づいて、ｔＡＭＦについてステップＳ９０７及びＳ９０８が実行されてもよい。
【０１５２】
Ｓ９０９において、ｔＡＭＦは、すべてのＳＭＦ応答を受信した後、ハンドオーバ要求応答をｓＡＭＦに返送し、ここで、メッセージは、ＰＤＵセッションのためにターゲット基地局によって予約された無線リソース情報を搬送する。
【０１５３】
Ｓ９１０において、ＰＤＵセッションのために正常に予約されたリソースが存在すると判断した後、ｓＡＭＦは、ハンドオーバコマンドを５Ｇ基地局５Ｇ  ＲＡＮ１に送信し、ＰＤＵセッションのためにターゲット基地局によって予約された無線リソース情報をハンドオーバコマンドで搬送する。
【０１５４】
Ｓ９１１において、基地局５Ｇ  ＲＡＮ１は、ＵＥへのハンドオーバコマンドを開始し、ターゲット基地局によって予約された無線リソース情報は、ハンドオーバコマンドで搬送される。
【０１５５】
Ｓ９１２において、ＵＥは、ターゲット基地局によって予約された無線リソース情報に従って、基地局５Ｇ  ＲＡＮ２にアクセスされる。
【０１５６】
Ｓ９１３において、基地局５Ｇ  ＲＡＮ２は、ｔＡＭＦへのハンドオーバ通知メッセージを開始する。
【０１５７】
Ｓ９１４において、ｔＡＭＦは、ＳＭＦにセッション更新要求メッセージを送信し、セッション更新要求メッセージでハンドオーバ完了通知が搬送される。ＥＢＩを要求するための指示は、セッション更新要求メッセージで搬送されてもよい。
【０１５８】
Ｓ９１５において、ＳＭＦは、ハンドオーバが完了したことを確認するために、ｔＡＭＦにセッション更新応答を返送する。ＳＭＦのＥＢＩ割り当て情報は、セッション更新応答において搬送される。
【０１５９】
ＵＥ内の複数のＰＤＵセッションをハンドオーバする必要がある場合、ハンドオーバされる各ＰＤＵセッションに基づいて、ｔＡＭＦについてステップＳ９１４からＳ９１７が実行される。
【０１６０】
Ｓ９１６において、ｔＡＭＦは、ハンドオーバ完了メッセージをｓＡＭＦに返送する。
【０１６１】
Ｓ９１７において、ｓＡＭＦは、Ｎ２接続解放要求をソース基地局１に送信する。
【０１６２】
上記のステップでは、２つの任意の実装モードが提供される。すなわち、ｔＡＭＦは、ステップＳ９０７においてＥＢＩ情報を要求してもよいし、ステップＳ９１４においてＥＢＩ情報を要求してもよい。ｔＡＭＦは、ＥＢＩ情報が要求に必要であることを明示的に示してもよく、又は示さなくてもよい。ＥＢＩ割り当て情報は、ＥＢＩリストを含み、各ＥＢＩに対応する優先度情報、ＰＤＵセッションＩＤ、及び他の情報を含むこともできる。
【０１６３】
実施例４
【０１６４】
図１０は、本開示の好ましい実施形態によるベアラＩＤを決定する方法のフローチャート（３）である。アプリケーションシナリオは、４Ｇから５Ｇへのアイドル状態モビリティであり、ＵＥは４Ｇシステムにアクセスされ、ＰＤＮ接続とベアラが確立され、ＰＤＮ接続とベアラに対応する５Ｇ  ＰＤＵセッション情報がＵＥとネットワーク間でインタラクションされている。ＵＥはアイドル状態に入り、ＵＥが移動している間、５Ｇシステムに接続される。
【０１６５】
以下、各ステップについて説明する。
【０１６６】
Ｓ１００１において、ＵＥは、登録要求を送信し、要求が５Ｇ基地局によって受信された後、要求は、５Ｇ基地局によってＡＭＦに送信される。ＵＥは登録要求においてＰＤＵセッションをアクティブに設定してもよい（注：複数のＰＤＵセッションが存在する可能性がある）。
【０１６７】
Ｓ１００２において、ＡＭＦは、ＭＭＥにＵＥのコンテキストを要求する。
【０１６８】
Ｓ１００３において、ＭＭＥは、ＵＥのコンテキストをＡＭＦに返送する。
【０１６９】
Ｓ１００４において、ＡＭＦは、ＵＤＭ／ＨＳＳへのロケーション更新プロセスを開始する。
【０１７０】
Ｓ１００５において、ＵＤＭ／ＨＳＳは、ＭＭＥに対してキャンセルロケーションプロセスを開始する。
【０１７１】
Ｓ１００６において、ＡＭＦは、ＵＥのコンテキストに従ってＳＭＦへのセッション更新要求を開始し、ＥＢＩ情報を要求するための指示が搬送されてもよい。
【０１７２】
Ｓ１００７において、ＳＭＦは、セッション更新応答をＡＭＦに返送し、ＥＢＩ割り当て情報は、セッション更新応答で搬送され、ＥＢＩ割り当て情報は、ＥＢＩリストを含み、各ＥＢＩに対応する優先度情報、ＰＤＵセッションＩＤ、及び他の情報を含むこともできる。
【０１７３】
ＵＥが複数のＰＤＵセッションを有する場合、ステップＳ１００６及びＳ１００７は、各ＰＤＵセッションについて実行される必要があってもよい。
【０１７４】
Ｓ１００８において、ＡＭＦは、登録受諾メッセージをＵＥに返信する。
【０１７５】
実施例５
【０１７６】
図１１は、本開示の好ましい実施形態によるベアラＩＤを決定する方法のフローチャート（４）である。アプリケーションシナリオは、４Ｇから５Ｇへのハンドオーバであり、ＵＥが４Ｇシステムにアクセスされ、ＰＤＮ接続とベアラが確立され、ＰＤＮ接続とベアラに対応する５Ｇ  ＰＤＵセッション情報がＵＥとネットワーク間でインタラクションされている。ＵＥが接続状態で移動しているとき、ＵＥに現在サービスを提供している４Ｇ基地局４Ｇ  ＲＡＮは、ＵＥが信号カバレージ範囲外に移動していることを発見する。
【０１７７】
以下、各ステップについて説明する。
【０１７８】
Ｓ１１０１において、４Ｇ基地局４Ｇ  ＲＡＮは、ＵＥをターゲット５Ｇ基地局５Ｇ  ＲＡＮ（「ＮＧ−ＲＡＮ」を使用することを提案する）にハンドオーバすることを決定する（例えば、４Ｇ  ＲＡＮが、ＵＥの測定レポートに従ってＵＥがカバレッジ範囲外に移動することを発見した場合）。４Ｇ基地局４Ｇ  ＲＡＮは、ＭＭＥへのハンドオーバ要求を開始し、ここで、メッセージは、ターゲット基地局情報を搬送する。
【０１７９】
Ｓ１１０２において、ＭＭＥは、ターゲット基地局情報に従ってターゲットＡＭＦを選択し、次にＡＭＦへのフォワードリロケーション要求を開始し、ここで、メッセージは、ターゲット基地局情報と現在の４Ｇセッション情報を搬送する。
【０１８０】
Ｓ１１０３において、ＡＭＦは、セッション情報に従ってＳＭＦにＰＤＵセッションハンドオーバ要求を送信し、４Ｇに対応するセッション情報は、ＰＤＵセッションハンドオーバ要求で搬送される。
【０１８１】
Ｓ１１０４において、ＳＭＦは、Ｎ２セッション情報にＱｏＳなどの情報が含まれている、ハンドオーバされるＰＤＵセッションのＮ２セッション情報を返送する。
【０１８２】
ＵＥ内の複数のＰＤＵセッションがハンドオーバされる必要がある場合、ステップＳ１１０３及びＳ１１０４は、ハンドオーバされる各ＰＤＵセッションに基づいてＡＭＦについて実行される。
【０１８３】
Ｓ１１０５において、ハンドオーバされるすべてのＰＤＵセッションのＳＭＦ応答を受信した後、ＡＭＦは、セッション情報に従って、ターゲット基地局５Ｇ  ＲＡＮからのリソース予約を要求する。
【０１８４】
Ｓ１１０６において、基地局５Ｇ  ＲＡＮは、ＰＤＵセッション情報に従って無線リソースを予約し、リソースが正常に予約されたＰＤＵセッションに、ターゲット基地局によって割り当てられた予約無線リソース情報、Ｎ２応答情報及びＮ３トンネル情報を搬送するハンドオーバ要求応答メッセージを返送する。
【０１８５】
Ｓ１１０７において、ＡＭＦは、ＳＭＦにセッション更新要求メッセージを送信し、セッション更新要求メッセージにおいてＮ２ハンドオーバ準備応答とＮ３トンネル情報が搬送される。ＥＢＩを要求するための指示は、セッション更新要求メッセージで搬送されてもよい。
【０１８６】
Ｓ１１０８において、ＳＭＦは、セッション更新要求に対する応答をＡＭＦに返送する。ＳＭＦ内のＥＢＩ割り当て情報と、フォワードリロケーション応答に必要な４Ｇセッション情報とが搬送される。
【０１８７】
ＵＥ内の複数のＰＤＵセッションがハンドオーバされる必要がある場合、ステップＳ１１０７及びＳ１１０８は、ハンドオーバされる各ＰＤＵセッションに基づいてＡＭＦのために実行されてもよい。
【０１８８】
Ｓ１１０９において、すべてのＳＭＦ応答を受信した後、ＡＭＦは、ＭＭＥにフォワードリロケーション応答を返送し、ここで、メッセージは、すべてのＰＤＵセッションのためにターゲット基地局によって予約された無線リソース情報と、ハンドオーバのためのすべてのＳＭＦからの４Ｇセッション情報とを搬送する。
【０１８９】
Ｓ１１１０において、ＰＤＮセッションのために正常に予約されたリソースが存在すると判断した後、ＭＭＥは、ターゲット基地局によって予約された無線リソース情報が搬送される４Ｇ基地局４Ｇ  ＲＡＮにハンドオーバコマンドを送信する。４Ｇ  ＲＡＮは、ＵＥへのハンドオーバコマンドを開始し、ここで、ターゲット基地局によって予約された無線リソース情報が搬送される。
【０１９０】
Ｓ１１１１において、ＵＥは、ターゲット基地局によって予約された無線リソース情報に従って、基地局５Ｇ  ＲＡＮにアクセスされる。
【０１９１】
Ｓ１１１２において、基地局５Ｇ  ＲＡＮは、ＡＭＦへのハンドオーバ通知メッセージを開始する。
【０１９２】
Ｓ１１１３において、ＡＭＦは、ＳＭＦにセッション更新要求メッセージを送信し、ここでハンドオーバ完了通知が搬送される。ＥＢＩを要求するための指示が搬送されてもよい。
【０１９３】
Ｓ１１１４において、ＳＭＦは、ハンドオーバが完了したことを確認するために、セッション更新応答をＡＭＦに返送する。ＳＭＦ内のＥＢＩ割り当て情報は、セッション更新応答で搬送される。
【０１９４】
ＵＥ内の複数のＰＤＵセッションがハンドオーバされる必要がある場合、ステップＳ１１１３からＳ１１１４は、ハンドオーバされる各ＰＤＵセッションに基づいてＡＭＦのために実行されてもよい。
【０１９５】
Ｓ１１１５において、ＡＭＦは、ハンドオーバ完了メッセージをＭＭＥに返信する。
【０１９６】
Ｓ１１１６において、ＭＭＥは、ソース基地局１にＳ１接続解放要求を送信する。
【０１９７】
上記のステップでは、２つの任意選択の実装モードが提供され、すなわち、ＡＭＦは、ステップＳ１１０７においてＥＢＩ情報を要求することができ、又はステップＳ１１１３においてＥＢＩ情報を要求することができる。ＡＭＦは、ＥＢＩ情報が要求に必要であることを明示的に示してもよく、又は示さなくてもよい。ＥＢＩ割り当て情報はＥＢＩリストを含み、各ＥＢＩに対応する優先度情報、ＰＤＵセッションＩＤ、及び他の情報を含むこともできる。
【０１９８】
５Ｇネットワークでは、制御プレーンの相互作用のためにサービス指向（ｓｅｒｖｉｃｅ−ｏｒｉｅｎｔｅｄ）が達成されている。上記の実施形態では、サービスオペレーションＮｓｍｆ＿ＰＤＵＳｅｓｓｉｏｎ＿ＵｐｄａｔｅＳＭＣｏｎｔｅｘｔが、ステップＳ８０６〜Ｓ８０７（セッション更新要求、セッション更新応答）、ステップＳ１００６〜Ｓ１００７（セッション更新要求、セッション更新応答）、ステップＳ９０３〜Ｓ９０４、Ｓ９０７〜Ｓ９０８、Ｓ９１４〜Ｓ９１５、ステップＳ１１０３〜Ｓ１１０４、Ｓ１１０７〜Ｓ１１０８、Ｓ１１１３〜Ｓ１１１４において呼び出され、ここで、要求されたパラメータはサービスコールの入力であり、返送された応答はサービスコールの出力である。
【０１９９】
上述の様々な実施形態では、ＡＭＦ（又はｔＡＭＦ）によってＳＭＦにセッション更新要求を送信するステップ（ステップＳ８０６〜Ｓ８０７及びＳ１００６〜Ｓ１００７など）において、ＡＭＦ（又はｔＡＭＦ）は操作Ｎｓｍｆ＿ＰＤＵＳｅｓｓｉｏｎ＿ＣｒｅａｔｅＳＭＣｏｎｔｅｘｔも送信することができ、ここで、要求されたパラメータはサービスコールの入力であり、返送された対応はサービスコールの出力である。
【０２００】
本開示は依然として上述のサービスコールを使用することができ、又は新しいサービスコールを生成することができる。上記の実装モードでは、要求されたパラメータはサービスコールの入力であり、返送された応答はサービスコールの出力である。
【０２０１】
実施形態５
【０２０２】
本開示の実施形態は、記憶媒体をさらに提供する。また、本実施形態において、上述した記憶媒体は、以下に説明する各ステップを実行するためのプログラムコードを記憶するように構成されていてもよい。
【０２０３】
Ｓ１において、セッション更新要求がＳＭＦに送信される。
【０２０４】
Ｓ２において、ベアラＩＤ割り当て情報を搬送し、ＳＭＦによって応答されるセッション更新応答を受信する。
【０２０５】
ベアラＩＤ割り当て情報は、ｓＡＭＦ又はＭＭＥによって割り当てられたベアラＩＤをｔＡＭＦに通知するために使用されてもよい。
【０２０６】
セッション更新要求は、ベアラＩＤ情報を要求するための指示を搬送してもよい。
【０２０７】
ベアラＩＤ割り当て情報は、ベアラＩＤリストを含むか、又はベアラＩＤリストと、各ベアラＩＤに対応するプライオリティ及びＰＤＵセッションＩＤの少なくとも１つと、を含んでいてもよい。
【０２０８】
記憶媒体は、以下で説明するステップを実行するためのプログラムコードを記憶するようにさらに構成されていてもよい。
【０２０９】
ＵＥによって送信された登録要求が受信される。
【０２１０】
登録要求を受信した後、ソースネットワークの第１のネットワーク要素からＵＥのコンテキストが要求される。
【０２１１】
ソースネットワークの第１のネットワーク要素によって送信されたＵＥのコンテキストを受信し、コンテキストに応じてセッション更新要求をＳＭＦに送信する。
【０２１２】
登録要求は、５Ｇネットワークにアクセスし、アイドル状態に入ったＵＥによって送信される登録要求、又は４Ｇネットワークにアクセスし、ＵＥが５Ｇネットワークに移動した後にアイドル状態に入ったＵＥによって送信される登録要求を含んでいてもよい。
【０２１３】
ソースネットワークの第１のネットワーク要素は、ｓＡＭＦ又はＭＭＥを含んでいてもよい。
【０２１４】
記憶媒体は、次のステップを実行するためのプログラムコードを記憶するようにさらに構成されていてもよい：ロケーション更新プロセスがＵＤＭに対して開始され、ここで、位置更新プロセスがＵＤＭに対して使用されて、ｓＡＭＦに対する県セルロケーションプロセスが開始される。
【０２１５】
記憶媒体は、以下で説明するステップを実行するためのプログラムコードを記憶するようにさらに構成されていてもよい。
【０２１６】
ソースネットワークの第１のネットワーク要素がソース基地局によって送信されたハンドオーバ要求を受信した後に、ソースネットワークの第１のネットワーク要素によってハンドオーバ準備要求が送信され、ハンドオーバ準備要求は、ターゲット基地局情報及び現在のセッション情報を搬送する。
【０２１７】
ＰＤＵセッションハンドオーバ要求は、ハンドオーバ準備要求に従ってＳＭＦに送信される。
【０２１８】
ＳＭＦによりハンドオーバされ送信されるＰＤＵセッションのＮ２セッション情報を受信する。
【０２１９】
記憶媒体は、次のステップを実行するためのプログラムコードを記憶するようにさらに構成されていてもよい：ハンドオーバ準備要求が、ハンドオーバされるＰＤＵセッションのセッション情報に従って、ターゲット基地局に送信され、ここで、ハンドオーバ準備要求は、リソース予約を要求するために使用される。
【０２２０】
ターゲット基地局が送信したハンドオーバ準備応答メッセージを受信し、ハンドオーバ準備応答メッセージは、リソースが正常に予約されたＰＤＵセッションに割り当てられた予約無線リソース情報、Ｎ２応答情報、Ｎ３トンネル情報を搬送し、セッション更新要求は、ハンドオーバ準備応答メッセージを搬送する。
【０２２１】
記憶媒体は、次のステップを実行するためのプログラムコードを記憶するようにさらに構成されていてもよい：ハンドオーバ応答がソースネットワークの第１のネットワーク要素に返送される。
【０２２２】
ソースネットワークの第１のネットワーク要素は、ｓＡＭＦを含んでいてもよく、ハンドオーバ応答は、ｓＡＭＦがソース基地局にハンドオーバコマンドを送信するために使用されてもよい。ハンドオーバ応答は、ＰＤＵセッションのために基地局によって予約された無線リソース情報を搬送し、ハンドオーバコマンドは、ＵＥがソース基地局からターゲット基地局にハンドオーバするために使用される。
【０２２３】
ソースネットワークの第１のネットワーク要素は、ＭＭＥを含んでいてもよく、ハンドオーバ応答は、ＭＭＥがハンドオーバコマンドをソース基地局に送信するために使用されてもよい。ハンドオーバコマンドは、ＵＥがソース基地局からターゲット基地局にハンドオーバするために使用される。
【０２２４】
記憶媒体は、次のステップを実行するためのプログラムコードを記憶するようにさらに構成されてもよい：ターゲット基地局によって送信されたハンドオーバ完了通知が受信される。
【０２２５】
ＳＭＦは、ＳＭＦ自体、又はＳＭＦとパケットデータネットワーク（ＰＤＮ）ゲートウェイ制御プレーン（ＰＧＷ−Ｃ）の組み合わせとを含んでいてもよい。
【０２２６】
本実施形態において、上述の記憶媒体は、Ｕディスク、リードオンリメモリ、ランダムアクセスメモリ、モバイルハードディスク、磁気ディスク、光ディスク、又はプログラムコードを記憶可能な別の媒体を含んでいてもよいが、これらに限定されない。
【０２２７】
本実施形態における特定の実施例については、上記の実施形態で説明した実施例及び任意選択の実施形態を参照することができ、この実施形態では繰り返さない。
【０２２８】
明らかに、本開示の上述のモジュール又はステップの各々は、汎用コンピューティングデバイスによって実装されてもよく、モジュール又はステップは単一のコンピューティングデバイス上に集中されてもよく、又は複数のコンピューティングデバイスによって形成されるネットワーク上に分散されてもよく、あるいは、モジュール又はステップはコンピューティングデバイスによって実行可能なプログラムコードによって実装されてもよく、その結果、モジュール又はステップは記憶デバイスに記憶され、コンピューティングデバイスによって実行可能であってもよいことを、当業者は理解すべきである。いくつかの状況では、図示又は説明されたステップは、本明細書で説明されたものとは異なる順序で実行されてもよく、又は図示又は説明されたステップは、様々な集積回路モジュールに別々に作製されてもよく、又はその複数のモジュール又はステップは実装のために単一の集積回路モジュールに作られてもよい。このように、本開示は、ハードウェア及びソフトウェアの任意の特定の組み合わせに限定されない。
【０２２９】
上記は本開示の好ましい実施形態に過ぎず、本開示を限定することを意図するものではなく、当業者にとって、本開示は様々な修正形態及び変形形態を有することができる。本開示の精神及び原理内でなされる任意の修正、同等の置換、改良などは、本開示の範囲内にある。
【産業上の利用可能性】
【０２３０】
本開示はＮｅｘｔＧｅｎ無線通信（５Ｇ）の分野に適用され、５Ｇ内のアイドル状態モビリティ、４Ｇから５Ｇへのアイドル状態モビリティ、及び４Ｇから５Ｇへの接続状態ハンドオーバなどのモビリティイベントが発生した後に、割り当てられたＥＢＩ情報をどのように決定するかについて、まだ効果的には解決されていない既存の技術における課題を解決する。さらに、ＭＭＥに特別な要求は必要ないので、従来のネットワークを更新する必要がなく、したがって従来のネットワークとの互換性が達成される。
【図１】
2021503857.tif 000003
【図２】
2021503857.tif 000004
【図３】
2021503857.tif 000005
【図４】
2021503857.tif 000006
【図５】
2021503857.tif 000007
【図６】
2021503857.tif 000008
【図７】
2021503857.tif 000009
【図８】
2021503857.tif 000010
【図９】
2021503857.tif 000011
【図１０】
2021503857.tif 000012
【図１１】
2021503857.tif 000013
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
無線通信方法であって、
ターゲットアクセス及びモビリティ制御機能により、セッション管理機能にセッション作成要求を送信することと、
前記ターゲットアクセス及びモビリティ制御機能により、前記セッション管理機能からのセッション作成応答を受信することと、を含み、
前記セッション作成応答は、パケットデータユニットセッション識別子と、割り当てられたベアラ識別子のリストとを含み、前記リスト内の各ベアラ識別子は、優先度に対応する、方法。
【請求項２】
前記ベアラＩＤ識別子のそれぞれは、モバイル管理エンティティによって割り当てられる、請求項１に記載の方法。
【請求項３】
無線通信方法であって、
セッション管理機能により、ターゲットアクセス及びモビリティ制御機能からのセッション作成要求を受信することと、
前記セッション管理機能により、セッション作成応答を前記ターゲットアクセス及びモビリティ制御機能に送信することと、を含み、
前記セッション作成応答は、パケットデータユニットセッション識別子と、割り当てられたベアラ識別子のリストとを含み、前記リスト内の各ベアラ識別子は、優先度に対応する、方法。
【請求項４】
記憶されたプログラムを含む記憶媒体であって、前記プログラムは、実行されると、請求項１又は２に記載の方法又は請求項３に記載の方法を実行する、記憶媒体。
【請求項５】
無線通信方法であって、
ターゲットアクセス及びモビリティ制御機能により、セッション管理機能に更新要求を送信することと、
前記ターゲットアクセス及びモビリティ制御機能により、前記セッション管理機能からの更新応答を受信することと、を含み、
前記更新応答は、割り当てられたベアラ識別子のリストを含み、前記リスト内の各ベアラ識別子は、優先度に対応する、方法。
【請求項６】
前記ベアラＩＤ識別子のそれぞれは、モバイル管理エンティティによって割り当てられる、請求項５に記載の方法。
【請求項７】
前記ベアラＩＤ識別子のそれぞれは、モバイル管理エンティティによって割り当てられる、請求項３に記載の方法。
【請求項８】
無線通信装置であって、
プロセッサと、
プロセッサ実行可能なコードを含むメモリと、を備え、前記プロセッサ実行可能なコードは、前記プロセッサにより実行されると、前記プロセッサに、
セッション管理機能にセッション作成要求を送信させ、
前記セッション管理機能からセッション作成応答を受信させるように構成され、
前記セッション作成応答は、パケットデータユニットセッション識別子と、割り当てられたベアラ識別子のリストとを含み、前記リスト内の各ベアラ識別子は、優先度に対応する、装置。
【請求項９】
前記ベアラＩＤ識別子のそれぞれは、モバイル管理エンティティによって割り当てられる、請求項８に記載の装置。
【請求項１０】
無線通信装置であって、
プロセッサと、
プロセッサ実行可能なコードを含むメモリと、を備え、前記プロセッサ実行可能なコードは、前記プロセッサにより実行されると、前記プロセッサに、
セッション管理機能に更新要求を送信させ、
前記セッション管理機能から更新応答を受信させるように構成され、
前記更新応答は、割り当てられたベアラ識別子のリストを含み、前記リスト内の各ベアラ識別子は、優先度に対応する、装置。
【請求項１１】
前記ベアラＩＤ識別子のそれぞれは、モバイル管理エンティティによって割り当てられる、請求項１０に記載の装置。
【請求項１２】
無線通信装置であって、
プロセッサと、
プロセッサ実行可能なコードを含むメモリと、を備え、前記プロセッサ実行可能なコードは、前記プロセッサにより実行されると、前記プロセッサに、
ターゲットアクセス及びモビリティ制御機能からセッション作成要求を受信させ、
前記ターゲットアクセス及びモビリティ制御機能にセッション作成応答を送信させるように構成され、
前記セッション作成応答は、パケットデータユニットセッション識別子と、割り当てられたベアラ識別子のリストとを含み、前記リスト内の各ベアラ識別子は、優先度に対応する、装置。
【請求項１３】
前記ベアラＩＤ識別子のそれぞれは、モバイル管理エンティティによって割り当てられる、請求項１２に記載の装置。
【請求項１４】
無線通信装置であって、
プロセッサと、
プロセッサ実行可能なコードを含むメモリと、を備え、前記プロセッサ実行可能なコードは、前記プロセッサにより実行されると、前記プロセッサに、
ターゲットアクセス及びモビリティ制御機能から更新要求を受信させ、
前記ターゲットアクセス及びモビリティ制御機能に更新応答を送信させるように構成され、
前記更新応答は、割り当てられたベアラ識別子のリストを含み、前記リスト内の各ベアラ識別子は、優先度に対応する、装置。
【請求項１５】
前記ベアラＩＤ識別子のそれぞれは、モバイル管理エンティティによって割り当てられる、請求項１４に記載の装置。
【国際調査報告】
2021503857.tif 000014
2021503857.tif 000015
2021503857.tif 000016
2021503857.tif 000017
2021503857.tif 000018
2021503857.tif 000019